(57)【要約】【課題】ムートンシーツの補修方法を分かりやすく説明することができるムートンシーツの補修方法の説明用キットを提供する。【解決手段】補修領域が設定されたミニチュアのシーツ本体１０と、シーツ本体１０の上に載置して人の就寝状態を示す人形２０と、シーツ本体１０に着脱可能なミニチュアの交換用パーツ３０とを備えている。シーツ本体１０はマグネットシートからなる基材シートＢＳの上面に、補修領域を除くように、天然ムートンＮＭが接着固定された本体部１１と、本体部１１の補修領域に着脱可能に装着される要補修パーツ１２及び再使用パーツ１３とから構成されている。交換用パーツ３０はマグネットシートからなる基材シートＢＳの上面に天然ムートンＮＭが接着固定されており、シーツ本体１０から要補修パーツ１２を取り外し、再使用パーツ１３を補修領域の片側に移動させることによって開放された部分に装着可能な大きさ、形状を有している。【選択図】        図１
0003204447.tif 000002
【実用新案登録請求の範囲】
【請求項１】
ムートンシーツの補修方法を説明するために使用するムートンシーツの補修方法の説明用キットであって、
ミニチュアのシーツ本体と、ミニチュアの交換用パーツとを備え、
前記シーツ本体は、着脱可能に分割された補修領域を有しており、
前記補修領域には、補修を必要とする部分を示す要補修パーツと、再使用可能な部分を示す再使用パーツとが装着されており、
前記交換用パーツは、前記シーツ本体から前記要補修パーツを取り外し、前記再使用パーツを前記補修領域の片側に移動させることによって開放された部分に装着可能な大きさ、形状を有していることを特徴とするムートンシーツの補修方法の説明用キット。
【請求項２】
前記要補修パーツと前記再使用パーツとは識別可能に構成されている請求項１に記載のムートンシーツの補修方法の説明用キット。
【請求項３】
前記シーツ本体の上に載置して人の就寝状態を示す人形又は人型シートを備えている請求項１または２に記載のムートンシーツの補修方法の説明用キット。
【考案の詳細な説明】
【技術分野】
【０００１】
この考案は、ムートンシーツの補修方法を説明するために使用するムートンシーツの補修方法の説明用キットに関する。
【背景技術】
【０００２】
天然ムートンは、羊の毛皮をなめして、天然の状態のまま貴化処理（毛伸し・艶だし）を施したものであり、らせん状の縮れ毛が高い保温・断熱効果及び優れた弾力性を発揮するとともに、羊毛自身の優れた吸湿性及び放湿性によって、さらっとした肌触りを保つことができるという特性を有しているため、例えば、ムートンシーツといった寝具等の敷物として使用されている。
【０００３】
こういったムートンシーツを長年使用していると、人の体圧が加わる肩部、臀部及びかかと部の羊毛だけがすり減って部分的に薄くなり、寝心地が悪くなるため、こういった部分的に損耗したムートンシーツは、新しいムートンシーツに買い換えるのが一般的であった。
【先行技術文献】
【特許文献】
【０００４】
【特許文献１】特開２００８−２９５８５０号公報
【考案の概要】
【考案が解決しようとする課題】
【０００５】
しかしながら、ムートンシーツは高価であり、肩部、臀部及びかかと部等の損耗部分以外は継続使用が可能な状態であるので、損耗部分を補修して継続使用することが望まれているが、その補修方法について、ムートンシーツの所有者に口頭で説明しただけでは、イメージがわかず、十分に理解してもらえないのが現状である。
【０００６】
実際に損耗したムートンシーツを前にして補修方法を説明する場合はまだしも、損耗したムートンシーツが目の前に無い状態で、その補修方法を説明する場合は、さらにイメージしにくいといった問題がある。
【０００７】
そこで、この考案の課題は、ムートンシーツの補修方法を分かりやすく説明することができるムートンシーツの補修方法の説明用キットを提供することにある。
【課題を解決するための手段】
【０００８】
上記の課題を解決するため、請求項１に係る考案は、ムートンシーツの補修方法を説明するために使用するムートンシーツの補修方法の説明用キットであって、ミニチュアのシーツ本体と、ミニチュアの交換用パーツとを備え、前記シーツ本体は、着脱可能に分割された補修領域を有しており、前記補修領域には、補修を必要とする部分を示す要補修パーツと、再使用可能な部分を示す再使用パーツとが装着されており、前記交換用パーツは、前記シーツ本体から前記要補修パーツを取り外し、前記再使用パーツを前記補修領域の片側に移動させることによって開放された部分に装着可能な大きさ、形状を有していることを特徴とするムートンシーツの補修方法の説明用キットを提供するものである。
【０００９】
また、請求項２に係る考案は、請求項１に係る考案のムートンシーツの補修方法の説明用キットにおいて、前記要補修パーツと前記再使用パーツとは識別可能に構成されていることを特徴としている。
【００１０】
また、請求項３に係る考案は、請求項１または２に係る考案のムートンシーツの補修方法の説明用キットにおいて、前記シーツ本体の上に載置して人の就寝状態を示す人形又は人型シートを備えていることを特徴としている。
【考案の効果】
【００１１】
以上のように、請求項１に係る考案のムートンシーツの補修方法の説明用キットは、ミニチュアのシーツ本体が、補修を必要とする部分を示す要補修パーツと、再使用可能な部分を示す再使用パーツとに分割され、これらのパーツが着脱可能に装着された補修領域を有しており、シーツ本体から要補修パーツを取り外し、再使用パーツを補修領域の片側に移動させることによって開放された部分に装着可能なミニチュアの交換用パーツを有しているので、例えば、ミニチュアのシーツ本体から要補修パーツを取り外し、再使用パーツを補修領域の片側に移動させることによって開放された部分にミニチュアの交換用パーツを装着することで、実際の補修工程を、各工程毎に視覚的に把握することができる。従って、この説明用キットを使用することで、ムートンシーツの補修方法をイメージしやすくなり、容易に理解することができる。
【００１２】
また、請求項２に係る考案のムートンシーツの補修方法の説明用キットは、要補修パーツと再使用パーツとが識別可能に構成されているので、補修前の状態で何処が損耗部分で、その損耗部分がどのように再生されたのかを確実に把握することができる。
【００１３】
また、請求項３に係る考案のムートンシーツの補修方法の説明用キットは、シーツ本体の上に載置して人の就寝状態を示す人形又は人型シートを備えているので、補修前のシーツ本体の上に人形又は人型シートを載置することで、シーツ本体のどの部分が損耗しやすいのかを、人の身体の部位との関係で把握することができ、よりイメージしやすいという効果が得られる。
【図面の簡単な説明】
【００１４】
【図１】（ａ）はこの考案に係るムートンシーツの補修方法の説明用キットの一実施形態を構成しているミニチュアのシーツ本体を示す平面図、（ｂ）は同上の説明用キットを構成している人形を示す平面図、（ｃ）は同上の説明用キットを構成しているミニチュアの交換用パーツを示す平面図である。
【図２】同上のシーツ本体から要補修パーツ及び再使用パーツを取り外した状態を示す平面図である。
【図３】同上のシーツ本体及び交換用パーツを示す断面図である。
【図４】同上の説明用キットの使用方法を段階的に示す図である。
【図５】同上の説明用キットの使用方法を段階的に示す図である。
【図６】同上の説明用キットの使用方法を段階的に示す図である。
【図７】同上の説明用キットの使用方法を段階的に示す図である。
【図８】同上の説明用キットの使用方法を段階的に示す図である。
【考案を実施するための形態】
【００１５】
以下、実施の形態について図面を参照して説明する。図１（ａ）〜（ｃ）に示すように、このムートンシーツの補修方法の説明用キットは、幅方向の中央部に補修領域が設定されたミニチュアのシーツ本体１０と、このシーツ本体１０の上に載置して人の就寝状態を示す人形２０と、ミニチュアの交換用パーツ３０とを備えている。
【００１６】
前記シーツ本体１０は、図２及び図３に示すように、マグネットシートからなる長方形状の基材シートＢＳの上面に、補修領域を除くように、天然ムートンＮＭが接着固定された本体部１１と、この本体部１１の補修領域に着脱可能に装着される、補修を必要とする部分を示す３つの要補修パーツ１２と、再使用可能な部分を示す２つの再使用パーツ１３とから構成されており、要補修パーツ１２及び再使用パーツ１３は、補修領域を、その長手方向に５等分した大きさを有している。
【００１７】
前記要補修パーツ１２及び再使用パーツ１３も、本体部１１と同様に、マグネットシートによって形成された基材シートＢＳの上面に天然ムートンＮＭが接着固定されており、要補修パーツ１２及び再使用パーツ１３を本体部１１の補修領域に所定状態で配置したときに、要補修パーツ１２及び再使用パーツ１３の基材シートＢＳの下面が本体部１１の基材シートＢＳの上面に磁気吸着されるようになっている。
【００１８】
前記再使用パーツ１３は、本体部１１の補修領域に装着した状態で、本体部１１を構成している天然ムートンＮＭの羊毛部分の上端と略同一高さになるように、羊毛部分がカットされているが、要補修パーツ１２は、すり減った状態を認識しやすいように、本体部１１の補修領域に装着した状態で、本体部１１を構成している天然ムートンＮＭの羊毛部分の上端よりも低くなるように、羊毛部分がカットされている。従って、本体部１１の補修領域に要補修パーツ１２及び再使用パーツ１３を装着した状態では、要補修パーツ１２を装着した部分が補修を必要とする部分であり、再使用パーツ１３を装着した部分が再使用可能な部分であることを容易に認識することができるようになっている。
【００１９】
前記交換用パーツ３０は、シーツ本体１０の再使用パーツ１３と同様に、マグネットシートからなる基材シートＢＳの上面に天然ムートンＮＭが接着固定されており、シーツ本体１０から要補修パーツ１２を取り外し、再使用パーツ１３を補修領域の片側に移動させることによって開放された部分に装着可能な大きさ、形状を有している。
【００２０】
また、交換用パーツ３０は、シーツ本体１０の補修領域に着脱自在に装着することができるように、シーツ本体１０の本体部１１の補修領域に所定状態で配置したときに、交換用パーツ３０の基材シートＢＳの下面がシーツ本体１０の本体部１１の基材シートＢＳの上面に磁気吸着されるようになっており、シーツ本体１０の再使用パーツ１３と同様に、シーツ本体１０の補修領域に装着した状態で、シーツ本体１０の本体部１１を構成している天然ムートンＮＭの羊毛部分の上端と略同一高さになるように、羊毛部分がカットされている。
【００２１】
以上のように構成された説明用キットの使用方法の一例について、以下に説明する。まず、図４に示すように、シーツ本体１０の本体部１１の補修領域における長手方向の両端部及び中央部に３つの要補修パーツ１２をそれぞれ装着すると共に、要補修パーツ１２間に２つの再使用パーツ１３をそれぞれ装着しておき、肩部、臀部及びかかと部が要補修パーツ１２部分に位置するように、シーツ本体１０の上に人の就寝状態を示す人形２０を載置することで、ムートンシーツにおける人の体圧が加わる肩部、臀部及びかかと部の羊毛だけがすり減って部分的に損耗し易いことを説明する。
【００２２】
次に、図５に示すように、シーツ本体１０の上から人形２０を取り除き、図６に示すように、シーツ本体１０の本体部１１の補修領域から３つの要補修パーツ１２を取り外すことで、ムートンシーツの損耗部分を切り取ることを説明する。
【００２３】
続いて、図７に示すように、シーツ本体１０の本体部１１の補修領域に残っている２つの再使用パーツ１３を補修領域のかかと側に移動させることで、ムートンシーツの損耗部分の間に位置している非損耗部分を切り取ってかかと側に移動させてムートンの皮部同士を縫製することにより再利用することを説明する。
【００２４】
最後に、図７及び図８に示すように、再使用パーツ１３をかかと側に移動させることによって補修領域の中央部から肩部側に開放された部分に交換用パーツ３０を装着することで、損耗部分の代わりに新品のムートンパーツを嵌め込んでムートンの皮部同士を縫製することによりムートンシーツのリフォームが完了することを説明する。
【００２５】
以上のように、この説明用キットを用いてムートンシーツの補修方法を説明すると、実際の補修工程を、各工程毎に視覚的に把握することができるので、ムートンシーツの補修方法をイメージしやすくなり、容易に理解することができる。
【００２６】
特に、このムートンシーツの補修方法の説明用キットでは、要補修パーツ１２の羊毛部分の高さを本体部１１や再使用パーツ１３の羊毛部分の高さより低くすることで、損耗部分と非損耗部分とを識別するようにしているので、補修前の状態で何処が損耗部分で、その損耗部分がどのように再生されたのかを確実に把握することができる。
【００２７】
また、このムートンシーツの補修方法の説明用キットでは、補修前のシーツ本体１０の上に人の就寝状態を示す人形２０を載置することで、ムートンシーツのどの部分が損耗しやすいのかを、人の身体の部位との関係で把握することができるので、よりイメージしやすいという効果が得られる。
【００２８】
なお、上述した実施形態では、要補修パーツ１２の羊毛部分の高さを本体部１１や再使用パーツ１３の羊毛部分の高さより低くすることで、損耗部分と非損耗部分とを識別するようにしているが、これに限定されるものではなく、要補修パーツ１２の羊毛部分を特定の色彩に着色することによって損耗部分と非損耗部分とを識別するようにしてもよい。
【００２９】
また、上述した実施形態では、シーツ本体１０の本体部１１の補修領域を、５分割しているが、これに限定されるものではなく、その分割数や要補修パーツ１２及び再使用パーツ１３の数は、補修方法の説明内容に応じて適宜設定すればよい。
【００３０】
また、上述した実施形態では、基材シートとしてマグネットシートを使用することで、シーツ本体１０の本体部１１に対して、要補修パーツ１２、再使用パーツ１３及び交換用パーツ３０を着脱可能に保持しているが、これに限定されるものではなく、マグネットシートに替えて面ファスナーを使用することも可能である。面ファスナーを使用する場合は、布地等の基材上面に、補修領域を除くように、天然ムートンを縫製し、基材上面における補修領域に面ファスナーの一方のファスナー要素を取り付けることで本体部を形成すると共に、天然ムートンの皮部の裏面にファスナーの他方のファスナー要素を取り付けることで、要補修パーツ、再使用パーツ及び交換用パーツを形成すればよい。
【００３１】
また、上述した実施形態では、本体部１１に対して要補修パーツ１２、再使用パーツ１３及び交換用パーツ３０を着脱可能に保持するために、マグネットシート等の保持部材を使用しているが、こういった保持部材は必ずしも設ける必要はなく、省略することも可能である。ただし、シーツ本体の本体部については、保持部材を省略する場合であっても、天然ムートンを取り付ける布地等からなる基材が必要であることはいうまでもない。
【００３２】
また、上述した実施形態では、シーツ本体１０の本体部１１は、マグネットシートからなる基材シートＢＳの上面に天然ムートンＮＭが接着固定されているが、これに限定されるものではなく、天然ムートンＮＭは基材シートＢＳの上面に着脱可能に取り付けられていてもよく、着脱可能に分割されていてもよい。
【００３３】
また、上述した実施形態では、シーツ本体１０（本体部１１、要補修パーツ１２、再使用パーツ１３）及び交換用パーツ３０に天然ムートンを使用しているが、これに限定されるものではなく、人工ムートンを使用することも可能であり、不織布や樹脂発泡体等によってシーツ本体や交換用パーツを形成してもよい。
【００３４】
また、上述した実施形態では、人の就寝状態を示すために立体的な人形２０を使用しているが、これに限定されるものではなく、合成樹脂シートを人型に切り抜いた人型シートを使用することも可能である。
【００３５】
また、上述した説明用キットの使用方法は、特定のムートンシーツの補修方法を説明するための使用方法であり、ムートンシーツの補修方法はこれに限定されるものではないので、説明しようとするムートンシーツの補修方法に応じて、説明用キットの使用方法も適宜変更すればよいことはいうまでもない。
【産業上の利用可能性】
【００３６】
本考案の説明用キットは、ムートンシーツの補修方法を説明する際に利用することができる。
【符号の説明】
【００３７】
１０  シーツ本体
１１  本体部
１２  要補修パーツ
１３  再使用パーツ
２０  人形
３０  交換用パーツ
ＢＳ  基材シート
ＮＭ  天然ムートン
【図１】
0003204447.tif 000003
【図２】
0003204447.tif 000004
【図３】
0003204447.tif 000005
【図４】
0003204447.tif 000006
【図５】
0003204447.tif 000007
【図６】
0003204447.tif 000008
【図７】
0003204447.tif 000009
【図８】
0003204447.tif 000010